(57)【要約】【課題】肌に対する影響を抑制しつつ、寝ている体毛の外刃に対する導入性能の向上を図ることのできる電気かみそりを得る。【解決手段】桟４０は、体毛７１を起立させる起毛部４５ｇを有する起毛桟４５を備えている。そして、起毛部４５ｇの断面の輪郭形状を、線分８１および円弧線８２のうち少なくともいずれか１種類を連結要素８０として用い、当該連結要素８０を連結させた形状とした。【選択図】図７
2011200552.tif 000002
【特許請求の範囲】
【請求項１】
桟によって画成された刃穴を有する外刃と、当該外刃の内方に配設されて前記外刃に対して相対移動することで、前記刃穴に挿入された体毛を切断する内刃と、を備える電気かみそりであって、
前記桟は、体毛を起立させる起毛部を有する起毛桟を備え、
前記起毛桟は、肌に面する肌接触面と、前記刃穴もしくは前記内刃に面する内側側面と、前記肌接触面と内側側面とを連結する起毛面と、を備え、
前記起毛部の断面の輪郭形状は、前記肌接触面の断面線における刃穴側端縁と前記内側側面の断面線における刃穴側端縁とを１つの線状連結要素または複数の連結要素で連結することで形成されており、
前記複数の連結要素は、線分および円弧線のうち少なくともいずれかであることを特徴とする電気かみそり。
【請求項２】
前記線状連結要素、前記肌接触面の断面線および前記内側側面の断面線を含む２つの線分を連結する場合には、当該２つの線分は、線分同士のなす角が９０度以上１８０度未満となるように連結されており、２つの前記円弧線を連結する場合には、当該２つの円弧線は、曲率中心の位置を異ならせた状態で連結されていることを特徴とする請求項１に記載の電気かみそり。
【請求項３】
前記起毛部の断面の輪郭形状は、前記円弧線が前記肌側に配置された形状をしていることを特徴とする請求項１または請求項２に記載の電気かみそり。
【請求項４】
前記起毛部の断面の輪郭形状は、前記円弧線が前記内刃側に配置された形状をしていることを特徴とする請求項１〜３のうちいずれか１項に記載の電気かみそり。
【請求項５】
前記起毛部の断面の輪郭形状は、前記肌側に配置された連結要素の連結点間距離が、前記内刃側に配置された連結要素の連結点間距離よりも長いことを特徴とする請求項１〜４のうちいずれか１項に記載の電気かみそり。
【請求項６】
前記起毛部の断面の輪郭形状は、前記肌側に配置された連結要素の連結点間距離が、前記内刃側に配置された連結要素の連結点間距離よりも短いことを特徴とする請求項１〜４のうちいずれか１項に記載の電気かみそり。
【請求項７】
前記起毛面の前記肌側に頂部が形成されていることを特徴とする請求項１〜６のうちいずれか１項に記載の電気かみそり。
【請求項８】
前記起毛面は、前記頂部よりも前記内刃側に第２の頂部が形成されていることを特徴とする請求項７に記載の電気かみそり。
【発明の詳細な説明】
【技術分野】
【０００１】
本発明は、電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛、すなわち、寝ている体毛は剃りにくいという問題がある。そこで、寝ている体毛を起こす起毛力が従来よりも大きい起毛部を外刃の桟に設けた電気かみそりが開発されている（例えば、特許文献１参照）。
【先行技術文献】
【特許文献】
【０００３】
【特許文献１】米国特許第２８７７５４８号公報
【発明の概要】
【発明が解決しようとする課題】
【０００４】
しかしながら、上記従来の技術では、断面平行四辺形状の桟の肌側の角を円弧状にすることで、当該桟に起毛部を形成しているため、肌に対する影響を抑制することはできるが、寝ている体毛を効率よく起こすことができなかった。すなわち、上記従来の技術では、寝ている体毛の外刃に対する導入性能があまりよくなかった。
【０００５】
そこで、本発明は、肌に対する影響を抑制しつつ、寝ている体毛の外刃に対する導入性能の向上を図ることのできる電気かみそりを得ることを目的とする。
【課題を解決するための手段】
【０００６】
本発明にあっては、桟によって画成された刃穴を有する外刃と、当該外刃の内方に配設されて前記外刃に対して相対移動することで、前記刃穴に挿入された体毛を切断する内刃と、を備える電気かみそりであって、前記桟は、体毛を起立させる起毛部を有する起毛桟を備え、前記起毛桟は、肌に面する肌接触面と、前記刃穴もしくは前記内刃に面する内側側面と、前記肌接触面と内側側面とを連結する起毛面と、を備え、前記起毛部の断面の輪郭形状は、前記肌接触面の断面線における刃穴側端縁と前記内側側面の断面線における刃穴側端縁とを１つの線状連結要素または複数の連結要素で連結することで形成されており、前記複数の連結要素は、線分および円弧線のうち少なくともいずれかであることを特徴とする。
【発明の効果】
【０００７】
本発明によれば、起毛部の断面の輪郭形状を、線分および円弧線のうち少なくともいずれか１種類を連結要素として用い、当該連結要素を連結させた形状としている。したがって、起毛部の形状を、肌に対する影響を抑制しつつ、起毛効果を高めることのできる形状とすることができる。このように、本発明によれば、肌に対する影響を抑制しつつ、寝ている体毛の外刃に対する導入性能の向上を図ることができる。
【図面の簡単な説明】
【０００８】
【図１】図１は、本発明の一実施形態にかかる電気かみそりを示す正面図である。
【図２】図２は、本発明の一実施形態にかかる内刃を示す斜視図である。
【図３】図３は、本発明の一実施形態にかかる外刃カセットを模式的に示す斜視図である。
【図４】図４は、本発明の一実施形態にかかる外刃を側方から見た概略図である。
【図５】図５は、本発明の一実施形態にかかる外刃の一部を拡大した斜視図である。
【図６】図６は、（ａ）は図５のＡ−Ａ線による断面図、（ｂ）は短手方向端の拡大断面図である。
【図７】図７は、（ａ）は図５のＢ−Ｂ線による断面図、（ｂ）は起毛部の拡大断面図である。
【図８】図８は、本発明の一実施形態にかかる起毛部の第１変形例を（ａ）から（ｃ）に示す拡大断面図である。
【図９】図９は、本発明の一実施形態にかかる起毛部の第２変形例を（ａ）から（ｅ）に示す拡大断面図である。
【図１０】図１０は、本発明の一実施形態にかかる起毛部の第３変形例を（ａ）から（ｄ）に示す拡大断面図である。
【図１１】図１１は、図１０（ａ）の起毛部が寝ている体毛を起こす状態を模式的に示す断面図である。
【図１２】図１２は、本発明の一実施形態にかかる起毛部の第４変形例を（ａ）から（ｆ）に示す拡大断面図である。
【図１３】図１３は、本発明の一実施形態にかかる起毛部の第４変形例を（ａ）から（ｇ）に示す拡大断面図である。
【図１４】図１４は、起毛部が寝ている体毛を起こす様子を模式的に示す図であって、（ａ）は、図１２（ｃ）の起毛部が寝ている体毛を起こす状態を模式的に示す断面図、（ｂ）は、図１２（ｆ）の起毛部が寝ている体毛を起こす状態を模式的に示す断面図である。
【図１５】図１５は、本発明の一実施形態にかかる起毛部の第５変形例を（ａ）から（ｃ）に示す拡大断面図である。
【図１６】図１６は、図１５（ａ）の起毛部が寝ている体毛を起こす状態を模式的に示す断面図である。
【図１７】図１７は、本発明の一実施形態にかかる起毛部の第６変形例を（ａ）から（ｃ）に示す拡大断面図である。
【図１８】図１８は、図１７（ａ）の起毛部が寝ている体毛を起こす状態を模式的に示す断面図である。
【図１９】図１９は、本発明の一実施形態にかかる起毛部の第７変形例を（ａ）から（ｃ）に示す拡大断面図である。
【図２０】図２０は、図１９の起毛部が寝ている体毛を起こす様子を模式的に示す図であって、（ａ）は、起毛部が寝ている体毛の下に入り込んだ状態を模式的に示す断面図、（ｂ）は、起毛部が寝ている体毛を起こした状態を模式的に示す断面図である。
【図２１】図２１は、本発明の一実施形態の第１変形例にかかる桟を示す図であって、（ａ）は、桟の断面図、（ｂ）は、起毛部の拡大断面図である。
【図２２】図２２は、本発明の一実施形態の第２変形例にかかる桟を示す断面図である。
【図２３】図２３は、本発明の一実施形態の第３変形例にかかる桟を示す断面図である。
【図２４】図２４は、本発明の一実施形態の第４変形例にかかる桟を示す断面図である。
【図２５】図２５は、本発明の一実施形態の第５変形例にかかる桟を示す断面図である。
【図２６】図２６は、本発明の一実施形態の第６変形例にかかる桟を示す断面図である。
【図２７】図２７は、本発明の一実施形態の第７変形例にかかる桟を示す断面図である。
【発明を実施するための形態】
【０００９】
以下、本発明の実施形態について図面を参照しながら詳細に説明する。なお、以下では、複数の外刃が並設される方向を前後方向（剃り方向）Ｘ、各外刃が延在する方向を左右方向Ｙとして説明する。また、外刃が上方を向くようにヘッド部を配置した状態における上下方向を上下方向Ｚとして説明する。
【００１０】
本実施形態にかかる電気かみそり１は、図１に示すように、手で把持するグリップ部２と、グリップ部２に固定されたヘッド部５と、を備えている。
【００１１】
グリップ部２は、図示せぬ電池が内蔵される合成樹脂製のグリップ本体３と、このグリップ本体３の上面より後方に突設された合成樹脂製のグリップ接続部４と、を備えている。なお、グリップ接続部４の上面に、公知の左右揺動機構および公知の前後揺動機構のうちの少なくともいずれかの機構を設け、ヘッド部５をグリップ部２に左右方向や前後方向に揺動できるように取り付けてもよい。
【００１２】
ヘッド部５は、図示せぬリニアモータが内蔵され、グリップ接続部４に接続されるリニアヘッド部６と、当該リニアヘッド部６に取り付けられる刃ユニット７と、を備えている。そして、グリップ本体３には、図１に示すように、リニアモータの駆動をオン、オフさせるスイッチ部９０が形成されている。なお、グリップ本体３に、電池の充電状況等を表示する表示部を設けるようにしてもよい。
【００１３】
刃ユニット７は、ヘッド部５の上方に向けて露出する外刃８と、当該外刃８の内方（外刃８の下側）に配設されて外刃８に対して相対移動する内刃１３と、を備えている。
【００１４】
本実施形態では、４枚（複数）の外刃を備えており、第１のネット刃９、仕上げ用ネット刃１０、スリット刃１１、第２のネット刃１２が前後方向Ｘに並設されている。
【００１５】
ネット刃９，１０，１２はいずれも、図４に示すように、側面視（左右方向Ｙに外刃を視た状態）で上方が凸となるように前後方向（短手方向）Ｘに沿って逆Ｕ字状に湾曲して形成されている。さらに、ネット刃９，１０，１２は、正面視（前後方向Ｘに外刃を視た状態）で上方が凸となるように左右方向（長手方向）Ｙに沿って若干湾曲して形成されている。なお、本実施形態では、ネット刃９，１０，１２を、正面視で上方が凸となるように湾曲させているが、必ずしも湾曲させる必要はない。
【００１６】
そして、このネット刃９，１０，１２には、多数の刃穴５０が桟４０によって画成されている。さらに、本実施形態では、図３に示すように、仕上げ用ネット刃１０の刃幅（前後方向Ｘの幅）が、第１及び第２のネット刃９，１２の刃幅（前後方向Ｘの幅）よりも小さくなるようにしている。このように、仕上げ用ネット刃１０の刃幅を他のネット刃９，１２の刃幅に比して小さく、すなわち、仕上げ用ネット刃１０の曲率半径を小さく設けることで、表面に押し付けた肌７０を刃穴５０から大きく内側に突出させて体毛７１（図１１参照）を短く剃ることができるようにしている。
【００１７】
スリット刃１１は、前後方向（短手方向）Ｘに沿ってコ字状に湾曲形成されており、平坦な上壁から側壁に至る多数のスリット（刃穴）を穿設することで形成されている。
【００１８】
すなわち、スリット刃１１には、多数のスリット（刃穴）が、平坦な上壁から側壁に至る略コ字状の桟および側壁の下部で長手方向（左右方向）Ｙに沿って延在する桟によって画成されている。
【００１９】
そして、外刃８を成す各ネット刃９，１０，１２およびスリット刃１１は、それぞれ専用の外刃枠１９，２０，２２および２１に取り付けられている。
【００２０】
さらに、外刃枠２０の第１のネット刃９側には、肌ガード部材２０ａが形成されており、仕上げ用ネット刃１０を前後に挟むスリット刃１１と肌ガード部材２０ａとによって、曲率半径の小さな仕上げ用ネット刃１０に肌７０が強く押し付けられることを効果的に防止している。
【００２１】
そして、第１のネット刃９が取り付けられた外刃枠１９、仕上げ用ネット刃１０が取り付けられた外刃枠２０、スリット刃１１が取り付けられた外刃枠２１および第２のネット刃１２が取り付けられた外刃枠２２を、外刃フレーム１８にそれぞれ係合させることで、外刃カセット３０を形成している。この外刃カセット３０は、リニアヘッド部６に取り付けられている。
【００２２】
内刃１３は、外刃８を成す各ネット刃９，１０，１２およびスリット刃１１に対して専用のものが設置されている。具体的には、各ネット刃９，１０，１２の下方（内方）に、対応するネット刃９，１０，１２の湾曲に沿う逆Ｕ字状の内刃１４，１５，１７が配設されている（図２参照）。なお、スリット刃１１の下方（内方）には、このスリット刃１１の湾曲に沿うコ字状のスリット内刃（図示せず）が配設されている。
【００２３】
そして、これら内刃１４，１５，１７およびスリット内刃（図示せず）は、上述の図示せぬリニアモータに取り付けられており、リニアモータを駆動させると、内刃１４，１５，１７およびスリット内刃（図示せず）がそれぞれ左右方向（長手方向）Ｙに往復動するようになっている。
【００２４】
このように、各ネット刃９，１０，１２およびスリット刃１１の下方（内方）に配設された内刃１４，１５，１７およびスリット内刃（図示せず）を、各ネット刃９，１０，１２およびスリット刃１１に対してそれぞれ相対移動（左右方向Ｙへの往復動）させることで、各ネット刃９，１０，１２の刃穴５０およびスリット刃１１のスリット内に挿入された体毛７１を、各ネット刃９，１０，１２およびスリット刃１１と、内刃１４，１５，１７およびスリット内刃（図示せず）と、で協働して切断するように構成している。
【００２５】
次に、本実施形態にかかるネット刃９，１０，１２について詳細に説明する。
【００２６】
本実施形態では、ネット刃９，１０，１２は、桟４０によって多数の刃穴５０が画成されている。具体的には、桟４０は、図５に示すように、短手方向（前後方向）Ｘに沿って波状に延在する短手方向桟４１と、長手方向（左右方向）Ｙに沿って延在する長手方向桟４２と、を備えている。そして、これらの桟４１，４２によって平面視略六角状の刃穴５０が画成されている。この刃穴５０は、体毛７１が挿入可能な大きさに形成されている。
【００２７】
なお、本実施形態では、多数の刃穴５０を画成した長板状部材を、上方が凸となるように前後方向（剃り方向）Ｘに沿って逆Ｕ字状に湾曲させた状態で外刃枠１９，２０，２２にそれぞれ取り付けることで、側方から見て逆Ｕ字状に湾曲したネット刃９，１０，１２を形成している。
【００２８】
このように、側方から見て逆Ｕ字状に湾曲形成したネット刃９，１０，１２は、最も高い部位に位置する頂部９ａ，１０ａ，１２ａが、肌７０との接触圧が大きくなる部位となる。そして、頂部９ａ，１０ａ，１２ａの短手方向両側の外側に位置する外側部９ｂ，１０ｂ，１２ｂが、頂部９ａ，１０ａ，１２ａよりも肌７０との接触圧が小さくなる部位となる。なお、図５における一点鎖線は頂部９ａ，１０ａ，１２ａの短手方向の中心を通る中心線である。
【００２９】
また、本実施形態では、長手方向桟４２は、図６に示す断面形状の長手方向桟４３と、図７（ａ）に示す断面形状の長手方向桟（起毛桟）４５と、を備えている。
【００３０】
そして、頂部９ａ，１０ａ，１２ａには、長手方向桟４３が配置されており、外側部９ｂ，１０ｂ，１２ｂには、長手方向桟４５が配置されている。
【００３１】
長手方向桟４３は、図６（ａ）、（ｂ）に示すように、断面略平板状に形成されており、長手方向桟４３の短手方向端には、曲率半径Ｒの断面半円状に形成された起毛部４３ｂが設けられている。このＲは、例えば１０μｍが好ましい。ここで、短手方向桟４１の表面４１ａは長手方向桟４３の表面４３ａよりも肌側に近づけており、長手方向桟４３の表面４３ａと短手方向桟４１の表面４１ａとの上下距離はＤ１に設定されている。
【００３２】
また、長手方向桟（起毛桟）４５は、図７（ａ）に示すように、肌７０側（図７（ａ）の上側）に肌７０に面するように形成され、肌７０が接触する略平坦状の肌接触面４５ａと、内刃１３側（図７（ａ）の下側）に平坦状に形成された底面４５ｂと、短手方向両端に向かうにつれて上側に位置するように傾斜した傾斜面（刃穴５０もしくは内刃１３に面する内側面）４５ｃ，４５ｃと、を備えている。
【００３３】
そして、桟４５上部の短手方向両端に一対の起毛部４５ｇ，４５ｇが形成されている。
【００３４】
この起毛部４５ｇは、肌面とのなす角度が小さい体毛（寝ている体毛）７１をより効率的に起こす起毛作用を有している。また、起毛部４５ｇと短手方向桟４１の表面４１ａとの上下距離はＤ２に設定されており、Ｄ２＜Ｄ１の大小関係でオフセット配置されている。
【００３５】
そして、本実施形態では、起毛部４５ｇは、肌接触面４５ａの短手方向両端（刃穴５０側端縁）４５ｅと傾斜面（刃穴５０もしくは内刃１３に面する内側面）４５ｃ，４５ｃの短手方向両端（刃穴５０側端縁）４５ｆとを連結する起毛面４５ｄを備えている。
【００３６】
この起毛面４５ｄには、刃穴５０側に突出する頂部Ｔ１が肌７０側に位置するように設けられている。
【００３７】
ここで、起毛部４５ｇの短手方向（起毛部の延在方向）Ｘ断面の輪郭形状は、肌接触面４５ａの断面線４５ｈにおける刃穴側端縁４５ｅと傾斜面（刃穴５０もしくは内刃１３に面する内側面）４５ｃの断面線４５ｉにおける刃穴側端縁４５ｆとを、１つの線状連結要素８１ａまたは複数の連結要素８０で連結することで形成されている。この連結要素８０として、本実施形態では、線分８１および円弧線８２のうち少なくともいずれかを用いている。
【００３８】
具体的には、図７（ｂ）に示すように、起毛面４５ｄの輪郭形状（起毛部４５ｇの断面の輪郭形状）が滑らかな曲線となるように、３つの円弧線８２を用いて、肌接触面４５ａの断面線４５ｈにおける刃穴側端縁４５ｅと傾斜面（刃穴５０もしくは内刃１３に面する内側面）４５ｃの断面線４５ｉにおける刃穴側端縁４５ｆとを連結している。
【００３９】
このとき、肌接触面４５ａの断面線４５ｈにおける刃穴側端縁４５ｅに連結される円弧線（Ｒ１の円弧線）８２は、肌７０側に凸となるとともに、円弧線（Ｒ１の円弧線）８２が刃穴側端縁４５ｅよりも刃穴５０側に位置するようにして連結される。さらに、本実施形態では、刃穴側端縁４５ｅにおける円弧線（Ｒ１の円弧線）８２を含む仮想円との接線方向に肌接触面４５ａが延在するように、円弧線（Ｒ１の円弧線）８２を刃穴側端縁４５ｅに連結させている。
【００４０】
なお、円弧線（Ｒ３の円弧線）８２の傾斜面（刃穴５０もしくは内刃１３に面する内側面）４５ｃの断面線４５ｉにおける刃穴側端縁４５ｆへの連結も同様である。
【００４１】
また、円弧線（Ｒ１の円弧線）８２と円弧線（Ｒ２の円弧線）８２、および、円弧線（Ｒ２の円弧線）８２と円弧線（Ｒ３の円弧線）８２は、それぞれの連結点８３ａ、８３ｂで、滑らかに連結されている。具体的には、例えば、円弧線（Ｒ１の円弧線）８２と円弧線（Ｒ２の円弧線）８２においては、連結点８３ａにおける円弧線（Ｒ１の円弧線）８２を含む仮想円との接線と、連結点８３ａにおける円弧線（Ｒ２の円弧線）８２を含む仮想円との接線と、が略平行となるように、円弧線（Ｒ１の円弧線）８２と円弧線（Ｒ２の円弧線）８２とを連結させればよい。ただし、それぞれの円弧線（Ｒ１の円弧線およびＲ２の円弧線）８２は、滑らかに連結していればよく、連結点８３ａにおける２つの仮想円との接線が略平行となるようにする必要はない。円弧線（Ｒ２の円弧線）８２と円弧線（Ｒ３の円弧線）８２についても同様である。
【００４２】
また、曲率中心の位置が同じ位置で、隣り合う円弧線同士を連結させた場合、２つの円弧線で１つの円弧線を描いてしまうため、本実施形態では、連結要素８０が円弧線８２同士の場合には、曲率中心の位置を異ならせた状態で２つの円弧線８２同士を連結させるようにしている。
【００４３】
本実施形態では、それぞれの円弧線８２の曲率半径は、Ｒ１、Ｒ２、Ｒ３でそれぞれ異なっているため、起毛部４５ｇの外側に凸となる状態でそれぞれの円弧線８２を連結させるだけで、曲率中心の位置を異ならせることができる。
【００４４】
なお、本実施形態では、曲率半径が互いに異なる円弧線８２を用いて連結させたものを例示したが、曲率半径が同じ円弧線８２を複数用いるようにしてもよい。この場合、２つの曲率半径が同じ円弧線８２の間に、これらの円弧線８２とは曲率半径の異なる円弧線を挟むようにしてそれぞれ連結させればよい。また、曲率半径が同じ円弧線８２を隣り合うようにして連結させる場合には、それぞれの円弧線８２の弓状部分の突出方向が互いに異なるように連結し、Ｓ字状の曲線となるようにすればよい。
【００４５】
そして、本実施形態では、先端が先細りとなるように起毛部４５ｇを形成しており、当該起毛部４５ｇの方が、長手方向桟４３の起毛部４３ｂよりも起毛力が大きくなるようにしている。すなわち、起毛部４５ｇの方が、長手方向桟４３の起毛部４３ｂよりも効率的に寝ている体毛７１を起こすことができるようにしている。
【００４６】
なお、肌接触面４５ａの断面線４５ｈにおける刃穴側端縁４５ｅと傾斜面４５ｃの断面線４５ｉにおける刃穴側端縁４５ｆとを、１つの線状連結要素８１ａまたは複数の連結要素８０で連結することで形成される起毛部４５ｇの断面の輪郭形状は、様々な形状とすることができる。
【００４７】
以下、本実施形態にかかる起毛部４５ｇの断面の輪郭形状の変形例について説明する。
【００４８】
まず、図８に記載の形状について説明する。
【００４９】
図８では、起毛部４５ｇの断面の輪郭形状は、上記実施形態と同様に、連結要素８０としての円弧線８２を複数連結させた形状をしている。すなわち、線分８１を用いずに起毛面４５ｄの輪郭形状を形成している。
【００５０】
なお、図８では、円弧線８２を２つ用いたものを図８（ａ）に示し、円弧線８２を４つ用いたものを図８（ｂ）に示し、円弧線８２を５つ用いたものを図８（ｃ）に示している。ただし、円弧線の数は、これに限らず、６つ以上の円弧線を用いて起毛面４５ｄの輪郭形状を形成するようにしてもよい。このように、複数の円弧線８２を起毛部４５ｇの外側に凸となるように連結させる場合、隣り合う円弧線８２の曲率半径を異ならせ、それぞれの曲率中心の位置が異なるようにする必要がある。なお、図８においては、肌接触面４５ａの刃穴側端縁４５ｅから順に、曲率半径Ｒ１、Ｒ２、…としたものを例示しているだけで、各図に記載の曲率半径Ｒ１が同一の曲率半径であることを意味するものではない。図９以降の曲率半径Ｒ１、Ｒ２…および角部Ｌ１、Ｌ２…の角度についても同様である。
【００５１】
次に、図９に記載の形状について説明する。
【００５２】
まず、図９（ａ）では、起毛部４５ｇの断面の輪郭形状として、１つの線状連結要素８１ａで肌接触面４５ａの断面線４５ｈにおける刃穴側端縁４５ｅと傾斜面（刃穴５０もしくは内刃１３に面する内側面）４５ｃの断面線４５ｉにおける刃穴側端縁４５ｆとを連結させて形成されるものを示している。この図９（ａ）では、線状連結要素８１ａと肌接触面４５ａの断面線４５ｈとのなす角が直角（９０度以上１８０度未満）となるように、線状連結要素８１ａと肌接触面４５ａの断面線４５ｈとを連結している。
【００５３】
さらに、線状連結要素８１ａと傾斜面（刃穴５０もしくは内刃１３に面する内側面）４５ｃの断面線４５ｉとのなす角が９０度以上１８０度未満となるように、線状連結要素８１ａと傾斜面（刃穴５０もしくは内刃１３に面する内側面）４５ｃの断面線４５ｉとを連結している。
【００５４】
このように、１つの線状連結要素８１ａで肌接触面４５ａの断面線４５ｈにおける刃穴側端縁４５ｅと傾斜面４５ｃの断面線４５ｉにおける刃穴側端縁４５ｆとを連結させることで、長手方向桟（起毛桟）４５の短手方向端に、直角もしくは鈍角となる２つの角部Ｌ１、Ｌ２を形成している。
【００５５】
また、図９（ａ）に示すように、線状連結要素８１ａと肌接触面４５ａの断面線４５ｈとのなす角が直角となるようにすれば、起毛面４５ｄが鉛直面となる。このように、起毛面４５ｄを鉛直面とすることで、当該鉛直面で体毛７１を支えることができ、より確実に体毛７１を起こすことができる（図１１参照）。また、角部Ｌ１が鋭角とならないようにすることで、起毛部４５ｇが肌７０に与える影響を抑制することができる。
【００５６】
また、図９（ｂ）〜図９（ｅ）では、連結要素８０としての線分８１を複数連結させることで起毛部４５ｇの断面の輪郭形状を形成したものを示している。
【００５７】
なお、線分８１を２つ用いて３つの角部Ｌ１〜Ｌ３を形成したものを図９（ｂ）に示し、線分８１を３つ用いて４つの角部Ｌ１〜Ｌ４を形成したものを図９（ｃ）に示し、線分８１を４つ用いて５つの角部Ｌ１〜Ｌ５を形成したものを図９（ｄ）に示し、線分８１を５つ以上用いて６つ以上の角部を形成したものを図９（ｅ）に示している。
【００５８】
ここで、線状連結要素８１ａ、肌接触面４５ａの断面線４５ｈおよび傾斜面（刃穴５０もしくは内刃１３に面する内側面）４５ｃの断面線４５ｉを含む２つの線分を連結する場合には、上述したように、当該２つの線分は、線分同士のなす角が９０度以上１８０度未満となるように連結するのが好適である。こうすれば、起毛部４５ｇの断面の輪郭形状に鋭角となる部位が形成されなくなるため、起毛部４５ｇが肌７０に与える影響を抑制することができる。
【００５９】
このように、図９では、図９（ａ）の形状も含めて、円弧線８２を用いずに起毛部４５ｇの断面の輪郭形状を形成したものを例示している。
【００６０】
次に、図１０に記載の形状について説明する。
【００６１】
図１０では、起毛部４５ｇの断面の輪郭形状として、肌接触面４５ａの断面線４５ｈにおける刃穴側端縁４５ｅと傾斜面４５ｃの断面線４５ｉにおける刃穴側端縁４５ｆとを、線分８１および円弧線８２（複数の連結要素８０）を連結させて形成されるものを示している。
【００６２】
具体的には、図１０では、肌接触面４５ａの断面線４５ｈにおける刃穴側端縁４５ｅおよび傾斜面４５ｃの断面線４５ｉにおける刃穴側端縁４５ｆには、円弧線８２を連結するとともに、円弧線８２と線分８１とを交互に連結させることで、起毛部４５ｇの断面の輪郭形状が、線分同士の連結により形成される角部を有さないようにしている。
【００６３】
なお、線分８１と円弧線８２との連結は、上述の連結方法と同一の方法で行っている。
【００６４】
また、図１０では、円弧線８２を２つ用いたものを図１０（ａ）に示し、円弧線８２を３つ用いたものを図１０（ｂ）に示し、円弧線８２を４つ用いたものを図１０（ｄ）に示し、円弧線８２を５つ用いたものを図１０（ｅ）に示している。このとき用いられる線分８１の数は、円弧線８２の数をｎとするとｎ−１となる。
【００６５】
また、図１０（ａ）に示すように、線分８１を１つ用いるとともに円弧線８２を２つ用いて、鉛直面を形成すれば、角部Ｌがなくなるため、図１１に示すように、より確実に体毛７１を起こしつつ、起毛部４５ｇが肌７０に与える影響をより抑制させることができる。
【００６６】
次に、図１２および図１３に記載の形状について説明する。
【００６７】
図１２および図１３では、起毛部４５ｇの断面の輪郭形状として、肌接触面４５ａの断面線４５ｈにおける刃穴側端縁４５ｅと傾斜面４５ｃの断面線４５ｉにおける刃穴側端縁４５ｆとを、線分８１および円弧線８２（複数の連結要素８０）を連結させて形成されるものを示している。
【００６８】
具体的には、図１２および図１３では、線分８１同士を連結して形成される角部Ｌを有する点が、上記図１０に示した起毛部４５ｇの断面の輪郭形状と異なっている。
【００６９】
そして、図１２の（ａ）〜（ｆ）および図１３の（ａ）〜（ｇ）では、円弧線８２が肌７０側に配置された輪郭形状のもの、円弧線８２が内刃１３側に配置された輪郭形状のもの、円弧線８２が略中央部に配置された輪郭形状のものをそれぞれ示している。
【００７０】
なお、円弧線８２同士の連結、線分８１同士の連結、円弧線８２と線分８１の連結は、上述の連結方法と同一の方法で行っている。
【００７１】
このように、起毛部４５ｇの断面の輪郭形状を、円弧線８２が肌７０側に配置された輪郭形状とすることで、図１４（ａ）に示すように、起毛部４５ｇの断面の肌７０側の輪郭が滑らかになるため、起毛部４５ｇが肌７０に与える影響を抑制することができる。
【００７２】
また、起毛部４５ｇの断面の輪郭形状を、円弧線８２が内刃１３側に配置された輪郭形状とすることで、図１４（ｂ）に示すように、体毛７１に接触する部位の輪郭が滑らかになるため、体毛７１をよりスムーズに起こすことができるようになる。
【００７３】
次に、図１５に記載の形状について説明する。
【００７４】
図１５では、起毛部４５ｇの断面の輪郭形状として、肌７０側に配置される連結要素８０の長さ（線分８１の場合その長さ、円弧線８２の場合、両端の連結点８３を結ぶ直線の長さ）が、内刃１３側に配置される連結要素８０の長さよりも短いものを示している。
【００７５】
すなわち、肌７０側において隣り合う連結点（刃穴側端縁４５ｅを含む）８３の距離が、内刃１３側において隣り合う連結点（刃穴側端縁４５ｆを含む）８３の距離よりも短くした輪郭形状の起毛部４５ｇを示している。
【００７６】
なお、この輪郭形状は、線分８１のみを用いて形成（図１５（ａ）参照）することもでき、円弧線８２のみを用いて形成（図１５（ｂ）参照）することもでき、線分８１および円弧線８２を用いて形成（図１５（ｃ）参照）することもできる。
【００７７】
このように、肌７０側において隣り合う連結点８３の距離を、内刃１３側において隣り合う連結点８３の距離よりも短くすることで、肌７０側の輪郭を滑らかに湾曲させることができ、図１６に示すように、起毛部４５ｇが肌７０に与える影響を抑制することができる。
【００７８】
また、内刃１３側において隣り合う連結点８３の距離を長くすることで、内刃１３側の輪郭形状の形成が容易になるという利点もある。
【００７９】
次に、図１７に記載の形状について説明する。
【００８０】
図１７では、起毛部４５ｇの断面の輪郭形状として、肌７０側に配置される連結要素８０の長さ（線分８１の場合その長さ、円弧線８２の場合、両端の連結点８３を結ぶ直線の長さ）が、内刃１３側に配置される連結要素８０の長さよりも長いものを示している。
【００８１】
すなわち、肌７０側において隣り合う連結点８３の距離が、内刃１３側において隣り合う連結点８３の距離よりも長くした輪郭形状の起毛部４５ｇを示している。
【００８２】
なお、この輪郭形状は、線分８１のみを用いて形成（図１７（ａ）参照）することもでき、円弧線８２のみを用いて形成（図１７（ｂ）参照）することもでき、線分８１および円弧線８２を用いて形成（図１７（ｃ）参照）することもできる。
【００８３】
このように、肌７０側において隣り合う連結点８３の距離を、内刃１３側において隣り合う連結点８３の距離よりも長くすることで、内刃１３側の輪郭を滑らかに湾曲させることができ、図１８に示すように、体毛７１に接触する部位の輪郭が滑らかになるため、体毛７１をよりスムーズに起こすことができるようになる。
【００８４】
また、肌７０側において隣り合う連結点８３の距離を長くすることで、肌７０側の輪郭形状の形成が容易になるという利点もある。
【００８５】
次に、図１９に記載の形状について説明する。
【００８６】
図１９では、起毛部４５ｇの断面の輪郭形状として、起毛面４５ｄの肌７０側に頂部Ｔ１を有するとともに、当該頂部Ｔ１よりも内刃１３側に第２の頂部Ｔ２を有する形状のものを示している。なお、頂部は、３つ以上あってもよい。
【００８７】
この図１９では、２つの線分８１と３つの円弧線８２とを用いて、頂部Ｔ１および第２の頂部Ｔ２を形成している。このとき、円弧線８２と線分８１とを交互に連結させることで、起毛部４５ｇの断面の輪郭形状が、線分同士の連結により形成される角部を有さないようにしている。
【００８８】
具体的には、円弧線（Ｒ１の円弧線）８２および円弧線（Ｒ３の円弧線）８２を、それぞれ起毛部４５ｇの外側に凸となるように、肌接触面４５ａの断面線４５ｈにおける刃穴側端縁４５ｅおよび傾斜面４５ｃの断面線４５ｉにおける刃穴側端縁４５ｆに連結している。そして、円弧線（Ｒ１の円弧線）８２および円弧線（Ｒ３の円弧線）８２に線分８１をそれぞれ連結し、それぞれの線分８１に、円弧線（Ｒ２の円弧線）８２を、起毛部４５ｇの内側に凸となるように連結することで、頂部Ｔ１および第２の頂部Ｔ２を形成している。
【００８９】
このように、起毛部４５ｇの断面の輪郭形状を、起毛面４５ｄの肌７０側に頂部Ｔ１を有するとともに、当該頂部Ｔ１よりも内刃１３側に第２の頂部Ｔ２を有する形状とすることで、図２０（ａ）に示すように、体毛７１との接触面積を小さくすることができ、体毛７１をよりスムーズに起こすことができるようになる。
【００９０】
また、頂部Ｔ１および第２の頂部Ｔ２を有することで、体毛７１を２つの頂部Ｔ１，Ｔ２で支持することができるため、起毛効果をより一層高めることができる。
【００９１】
以上説明したように、本実施形態では、起毛部４５ｇの断面の輪郭形状を、線分８１および円弧線８２のうち少なくともいずれか１種類を連結要素８０として用い、当該連結要素８０を連結させた形状としている。したがって、起毛部４５ｇの形状を、肌７０に対する影響を抑制しつつ、起毛効果を高めることのできる形状とすることができる。このように、本実施形態によれば、肌７０に対する影響を抑制しつつ、寝ている体毛７１の外刃８に対する導入性能の向上を図ることができる。
【００９２】
また、本実施形態では、起毛部４５ｇの断面の輪郭形状を、円弧線８２が肌７０側に配置された形状としている。このように、起毛部４５ｇの断面の輪郭形状を、円弧線８２が肌７０側に配置された輪郭形状とすることで、起毛部４５ｇの断面の肌７０側の輪郭が滑らかになるため、起毛部４５ｇが肌７０に与える影響を抑制することができる。
【００９３】
また、本実施形態では、起毛部４５ｇの断面の輪郭形状を、円弧線８２が内刃１３側に配置された形状としている。このように、起毛部４５ｇの断面の輪郭形状を、円弧線８２が内刃１３側に配置された輪郭形状とすることで、体毛７１に接触する部位の輪郭が滑らかになるため、体毛７１をよりスムーズに起こすことができるようになる。
【００９４】
また、本実施形態では、起毛部４５ｇの断面の輪郭形状を、肌７０側に配置された連結要素８０の連結点８３間距離が、内刃１３側に配置された連結要素８０の連結点８３間距離よりも長くなるようにしている。このように、肌７０側において隣り合う連結点８３の距離を、内刃１３側において隣り合う連結点８３の距離よりも長くすることで、内刃１３側の輪郭を滑らかに湾曲させることができ、体毛７１に接触する部位の輪郭が滑らかになるため、体毛７１をよりスムーズに起こすことができるようになる。
【００９５】
また、本実施形態では、起毛部４５ｇの断面の輪郭形状を、肌７０側に配置された連結要素８０の連結点８３間距離が、内刃１３側に配置された連結要素８０の連結点８３間距離よりも短くなるようにしている。このように、肌７０側において隣り合う連結点８３の距離を、内刃１３側において隣り合う連結点８３の距離よりも短くすることで、肌７０側の輪郭を滑らかに湾曲させることができ、起毛部４５ｇが肌７０に与える影響を抑制することができる。
【００９６】
また、本実施形態では、起毛面４５ｄの肌７０側に頂部Ｔ１が形成されるようにしている。このように、起毛面４５ｄの肌７０側に頂部Ｔ１を形成することで、寝ている体毛７１をより効率よく起こすことができる。
【００９７】
また、本実施形態では、起毛面４５ｄには、頂部Ｔ１よりも内刃１３側に第２の頂部Ｔ２を形成している。このように、起毛部４５ｇの断面の輪郭形状を、起毛面４５ｄの肌７０側に頂部Ｔ１を有するとともに、当該頂部Ｔ１よりも内刃１３側に第２の頂部Ｔ２を有する形状とすることで、体毛７１との接触面積を小さくすることができ、体毛７１をよりスムーズに起こすことができるようになる。
【００９８】
また、頂部Ｔ１および第２の頂部Ｔ２を有することで、すなわち、複数の頂部を有することで、体毛７１を複数の頂部で支持することができるため、起毛効果をより一層高めることができる。
【００９９】
また、本実施形態によれば、ネット刃９，１０，１２の領域のうち肌７０との接触圧が高い部位（頂部９ａ，１０ａ，１２ａ）に、長手方向桟４３を配置するとともに、接触圧が低い部位（外側部９ｂ，１０ｂ，１２ｂ）に、長手方向桟４３の起毛部４３ｂよりも起毛力の大きい起毛部４５ｇを有する長手方向桟（起毛桟）４５を配置している。
【０１００】
このように、肌７０との接触圧が高い部位の起毛力を、接触圧が低い部位の起毛力よりも小さくすることにより、肌７０との接触圧が高い部位が肌７０に与える影響（ダメージ）を抑制することができる。
【０１０１】
また、肌７０との接触圧が低い部位については、肌７０に与える影響がもともと低いため、起毛力を高めて効率的な起毛を行うことができる。
【０１０２】
また、本実施形態によれば、桟４０は、ネット刃（外刃）９，１０，１２の長手方向に沿って延設される長手方向桟４２と、長手方向に交差する短手方向に沿って延設される短手方向桟４１とからなり、ネット刃（外刃）９，１０，１２が網目状になっている。そのため、体毛７１を刃穴５０に挿入しやすくなって、体毛７１を剃りやすくすることができるという効果がある。
【０１０３】
また、本実施形態によれば、ネット刃（外刃）９，１０，１２は側方から見ると逆Ｕ字状に湾曲して形成されており、側面（起毛部）４３ｂおよび起毛部４５ｇを、ネット刃（外刃）９，１０，１２の長手方向桟４３，４５における短手方向の両端に形成している。このため、電気かみそり１を、短手方向の一方方向および他方方向のいずれの方向に移動させても、体毛７１を起立させることができるため、使用者の使い勝手が良好となるという効果がある。
【０１０４】
次に、本実施形態にかかる桟の変形例を説明する。
【０１０５】
（第１変形例）
本変形例にかかる桟４０Ａは、図２１（ａ）に示すように、断面略Ｖ字状に形成されている。具体的には、短手方向中央部には、略平板状の平板部４０ａＡが形成されており、この平板部４０ａＡの短手方向両端には、平板部４０ａＡ側から短手方向の両端に向かうにつれて上方に位置するように傾斜した傾斜部４０ｂＡが設けられている。この傾斜部４０ｂＡは、平板部４０ａＡ側から短手方向の両端に向かうにつれて幅狭となるテーパ状に形成されており、当該傾斜部４０ｂＡの短手方向端４０ｃＡには、体毛７１を起立させる起毛部４０ｄＡが形成されている。
【０１０６】
また、桟４０Ａは、平板部４０ａＡの上部平坦面４０ｅＡ、傾斜部４０ｂＡの上部傾斜面４０ｆＡ、平板部４０ａＡの底面４０ｇＡおよび傾斜部４０ｂＡの下部傾斜面４０ｈＡによって画成されている。
【０１０７】
なお、本実施形態では、上部平坦面４０ｅＡおよび上部傾斜面４０ｆＡが、肌７０に接触する肌接触面に相当し、下部傾斜面４０ｈＡが刃穴５０もしくは内刃１３に面する内側側面に相当している。
【０１０８】
さらに、図２１（ｂ）に示すように、二点鎖線で示す短手方向の基準線６０と上部傾斜面４０ｆＡとのなす逃げ角度αは、前述した図６（ａ）のように長手方向桟４３の表面４３ａと短手方向の基準線６０とのなす逃げ角度（０°）よりも大きく設定されている。このように、肌７０との接触圧が高い部位における逃げ角を、肌７０との接触圧が低い部位における逃げ角度αよりも小さく設定することで、肌７０との接触圧が高い部位が肌７０に与える影響（ダメージ）を抑制することができる。
【０１０９】
このような形状の桟４０Ａを用い、当該桟４０Ａにおける起毛部４０ｄＡの断面の輪郭形状を、上記実施形態および各変形例で示した形状とすれば、上記実施形態と同様の作用、効果を奏することができる。
【０１１０】
（第２変形例）
本変形例にかかる桟４０Ｂは、図２２に示すように、肌７０側（図２２の上側）に形成されて肌７０が接触する略平坦状の肌接触面４０ａＢと、内刃１３側（図２２の下側）に平坦状に形成された底面（刃穴５０もしくは内刃１３に面する内側側面）４０ｂＢと、を有する平板状に形成されている。そして、桟４０Ｂの短手方向両端が半円状の起毛部４０ｃＢ，４０ｃＢとなっている。
【０１１１】
このような形状の桟４０Ｂを用い、当該桟４０Ｂにおける起毛部４０ｃＢの断面の輪郭形状を、上記実施形態および各変形例で示した形状とすれば、上記実施形態と同様の作用、効果を奏することができる。
【０１１２】
（第３変形例）
本変形例にかかる桟４０Ｃは、図２３に示すように、肌７０側（図２３の上側）に凸状に湾曲形成され、肌７０が接触する肌接触面４０ａＣと、内刃１３側（図２３の下側）に平坦状に形成された底面４０ｂＣと、短手方向端に形成される側面（刃穴５０もしくは内刃１３に面する内側側面）４０ｃＣ，４０ｃＣと、を備えている。そして、桟４０Ｃ上部の短手方向両端に一対の起毛部４０ｄＣ，４０ｄＣが形成されている。
【０１１３】
このような形状の桟４０Ｃを用い、当該桟４０Ｃにおける起毛部４０ｄＣの断面の輪郭形状を、上記実施形態および各変形例で示した形状とすれば、上記実施形態と同様の作用、効果を奏することができる。
【０１１４】
（第４変形例）
本変形例にかかる桟４０Ｄは、図２４に示すように、断面略蒲鉾状の本体部４０ｂＤを有しており、当該本体部４０ｂＤの肌７０側（図２４の上側）には、肌７０が接触する略平坦状の肌接触面４０ａＤが形成されており、当該本体部４０ｂＤの短手方向端には、側面（刃穴５０もしくは内刃１３に面する内側側面）４０ｄＤ，４０ｄＤが形成されている。
【０１１５】
そして、本体部４０ｂＤの上部の短手方向両端に一対の起毛部４０ｃＤ，４０ｃＤが形成されている。
【０１１６】
このような形状の桟４０Ｄを用い、当該桟４０Ｄにおける起毛部４０ｃＤの断面の輪郭形状を、上記実施形態および各変形例で示した形状とすれば、上記実施形態と同様の作用、効果を奏することができる。
【０１１７】
（第５変形例）
本変形例にかかる桟４０Ｅは、図２５に示すように、肌７０側（図２５の上側）に形成されて肌７０が接触する略平坦状の肌接触面４０ａＥを有する略板状の本体部４０ｃＥを備え、当該本体部４０ｃＥの底面（刃穴５０もしくは内刃１３に面する内側側面）４０ｅＥから下方に延びる突出部４０ｂＥが形成されている。
【０１１８】
そして、本体部４０ｃＥの短手方向両端に一対の起毛部４０ｄＥ，４０ｄＥが形成されている。
【０１１９】
このような形状の桟４０Ｅを用い、当該桟４０Ｅにおける起毛部４０ｄＥの断面の輪郭形状を、上記実施形態および各変形例で示した形状とすれば、上記実施形態と同様の作用、効果を奏することができる。
【０１２０】
（第６変形例）
本変形例にかかる桟４０Ｆは、断面略Ｔ字状に形成されている。具体的には、桟４０Ｆは、図２６に示すように、肌７０側（図２６の上側）に形成されて肌７０が接触する略平坦状の肌接触面４０ａＦを有する略板状の本体部４０ｂＦを備え、当該本体部４０ｂＦの底面（刃穴５０もしくは内刃１３に面する内側側面）４０ｅＦから下方に延びる突出部４０ｃＦが形成されている。
【０１２１】
そして、本体部４０ｂＦの短手方向両端に一対の起毛部４０ｄＦ，４０ｄＦが形成されている。
【０１２２】
このような形状の桟４０Ｆを用い、当該桟４０Ｆにおける起毛部４０ｄＦの断面の輪郭形状を、上記実施形態および各変形例で示した形状とすれば、上記実施形態と同様の作用、効果を奏することができる。
【０１２３】
（第７変形例）
本変形例にかかる桟４０Ｇは、断面略エ字状に形成されている。具体的には、桟４０Ｇは、図２７に示すように、肌７０側（図２７の上側）に形成されて肌７０が接触する略平坦状の肌接触面４０ａＧを有する略板状の本体部４０ｂＧを備え、当該本体部４０ｂＧの底面（刃穴５０もしくは内刃１３に面する内側側面）４０ｆＧから下方に延びる突出部４０ｃＧが形成されている。さらに、突出部４０ｃＧの下端には短手方向両側に延びる断面三角状の延設部４０ｄＧ，４０ｄＧが形成されている。
【０１２４】
そして、本体部４０ｂＧの短手方向両端に一対の起毛部４０ｅＧ，４０ｅＧが形成されている。
【０１２５】
このような形状の桟４０Ｇを用い、当該桟４０Ｇにおける起毛部４０ｅＧの断面の輪郭形状を、上記実施形態および各変形例で示した形状とすれば、上記実施形態と同様の作用、効果を奏することができる。
【０１２６】
以上、本発明の好適な実施形態について説明したが、本発明は上記実施形態には限定されず、種々の変形が可能である。
【０１２７】
例えば、上記実施形態では、頂部に、起毛力が略同一の起毛部を有する桟を設けたものを例示したが、桟の起毛部の起毛力が、頂部の左右方向中央部から両端部に向かうにつれて徐々に高くなるようにしてもよい。
【０１２８】
また、桟の形状は、上記実施形態および各変形例で示したものに限らず、種々の形状とすることができる。
【０１２９】
また、上記実施形態では、長手方向桟４３の起毛部４３ｂを、１つの円弧線で形成したものを例示したが、この起毛部４３ｂの断面の輪郭形状を、肌接触面の断面線における刃穴側端縁と内側側面の断面線における刃穴側端縁とを１つの線状連結要素または複数の連結要素で連結することで形成してもよい。
【０１３０】
また、上記実施形態では、外刃を４枚並列したものを例示したが、外刃の数は、１〜３枚であっても、５枚以上であってもよい。
【０１３１】
また、上記実施形態では、３枚のネット刃のそれぞれに起毛桟を設けたものを例示したが、スリット刃を含めて少なくともいずれか１つの外刃に起毛桟が設けられていればよい。
【０１３２】
また、上記実施形態では、グリップ部に固定されたヘッド部に外刃が設けられたものを例示したが、グリップ部に外刃を設けるようにしてもよい。
【０１３３】
また、外刃や内刃、桟、その他細部のスペック（形状、大きさ、レイアウト等）も適宜に変更可能である。
【符号の説明】
【０１３４】
１  電気かみそり
８  外刃
１３  内刃
４０  桟
４５  長手方向桟（起毛桟）
４５ａ  肌接触面
４５ｃ  傾斜面（刃穴もしくは内刃に面する内側面）
４５ｄ  起毛面
４５ｅ  短手方向端（刃穴側端縁）
４５ｆ  短手方向端（刃穴側端縁）
４５ｇ  起毛部
４５ｈ  断面線
４５ｉ  断面線
５０  刃穴
７０  肌
７１  体毛
８０  連結要素
８１  線分
８１ａ  線状連結要素
８２  円弧線
８３  連結点
【図１】
2011200552.tif 000003
【図２】
2011200552.tif 000004
【図３】
2011200552.tif 000005
【図４】
2011200552.tif 000006
【図５】
2011200552.tif 000007
【図６】
2011200552.tif 000008
【図７】
2011200552.tif 000009
【図８】
2011200552.tif 000010
【図９】
2011200552.tif 000011
【図１０】
2011200552.tif 000012
【図１１】
2011200552.tif 000013
【図１２】
2011200552.tif 000014
【図１３】
2011200552.tif 000015
【図１４】
2011200552.tif 000016
【図１５】
2011200552.tif 000017
【図１６】
2011200552.tif 000018
【図１７】
2011200552.tif 000019
【図１８】
2011200552.tif 000020
【図１９】
2011200552.tif 000021
【図２０】
2011200552.tif 000022
【図２１】
2011200552.tif 000023
【図２２】
2011200552.tif 000024
【図２３】
2011200552.tif 000025
【図２４】
2011200552.tif 000026
【図２５】
2011200552.tif 000027
【図２６】
2011200552.tif 000028
【図２７】
2011200552.tif 000029